(57)【要約】【課題】代金支払者に対して安全な支払いを可能とする。【解決手段】代金の入出金処理を行う金融取引システムは、代金支払者から代金請求者へ代金の振込処理を行う振込処理手段と、代金支払者による支払時に一時的な支払処理を設定する設定手段と、代金支払いに関する情報と前記一時的な支払処理に関する情報とを格納する支払情報格納手段と、前記支払情報格納手段に格納した情報を代金請求者に対して通知する情報通知手段と、前記情報通知手段により通知された情報について代金請求者が確認するための確認手段と、代金支払者が代金支払いに承認した場合にのみ代金請求者が代金を受け取ることを可能とする代金支払承認手段と、代金請求者に代金の支払処理を行う代金支払処理手段とを備える。【選択図】      図１
2007034976.tif 000002
【特許請求の範囲】
【請求項１】
代金の入出金処理を行う金融取引システムにおいて、
代金支払者から代金請求者へ代金の振込処理を行う振込処理手段と、
代金支払者による支払時に一時的な支払処理を設定する設定手段と、
代金支払いに関する情報と前記一時的な支払処理に関する情報とを格納する支払情報格納手段と、
前記支払情報格納手段に格納した情報を代金請求者に対して通知する情報通知手段と、
前記情報通知手段により通知された情報について代金請求者が確認するための確認手段と、
代金支払者が代金支払いに承認した場合にのみ代金請求者が代金を受け取ることを可能とする代金支払承認手段と、
代金請求者に代金の支払処理を行う代金支払処理手段とを備えることを特徴とする金融取引システム。
【請求項２】
前記代金支払処理手段による代金の支払方法は現金によることを特徴とする請求項１に記載の金融取引システム。
【請求項３】
前記代金支払処理手段により支払われる代金は前記代金支払者の銀行口座から出金された代金であることを特徴とする請求項１に記載の金融取引システム。
【請求項４】
前記代金支払者の銀行口座は他行の銀行口座であることを特徴とする請求項３に記載の金融取引システム。
【請求項５】
前記代金支払者による出金のための銀行口座の銀行口座番号が前記情報に含まれており、前記代金支払処理手段は、前記銀行口座番号の示す代金支払者の銀行口座から支払代金を出金することを特徴とする請求項３に記載の金融取引システム。
【請求項６】
前記代金支払者による出金のための銀行口座の銀行口座番号とは異なる、前記代金支払者の識別情報が前記情報に含まれており、
前記代金支払者による出金のための銀行口座番号と代金支払者の識別情報との対応情報を記憶した記憶手段と、
前記対応情報から前記識別情報に対応する銀行口座番号を検索する検索手段とをさらに備え、
前記代金支払処理手段は、前記検索手段により検索された銀行口座番号の示す代金支払者の銀行口座から支払代金を出金することを特徴とする請求項３に記載の金融取引システム。
【請求項７】
前記情報通知手段は、入出金用端末の表示装置に前記情報を表示することを特徴とする請求項１乃至６のいずれか１項に記載の金融取引システム。
【請求項８】
前記情報の表示は前記入出金用端末での入出金時に行われることを特徴とする請求項７に記載の金融取引システム。
【請求項９】
前記情報通知手段は電子メールにより前記情報の通知を行うことを特徴とする請求項１乃至８のいずれか１項に記載の金融取引システム。
【請求項１０】
前記電子メールにはハイパーリンクが埋め込まれており、電子メールを受信した情報処理装置に当該ハイパーリンクを使用して承認指示のための画面を表示させ、前記代金支払者は当該画面から承認指示を行うことを特徴とする請求項９に記載の金融取引システム。
【請求項１１】
前記情報通知手段は、前記金融取引システムに対して前記代金請求者が使用する外部機器によりアクセスがあったときに前記情報を前記外部機器に送信することを特徴とする請求項１乃至１０のいずれか１項に記載の金融取引システム。
【請求項１２】
前記代金支払承認手段は、前記代金支払者による支払拒否を可能とし、当該支払拒否がなされた場合には、以後の前記情報の通知と前記代金請求者による出金とを中止することを特徴とする請求項１乃至１１のいずれか１項に記載の金融取引システム。
【請求項１３】
前記情報には支払承認期限が含まれており、
前記情報通知手段は、予め定められた支払期限までに支払承認の指示がなされなかった場合に、前記情報の通知と前記代金請求者による出金とを中止することを特徴とする請求項１乃至１２のいずれか１項に記載の金融取引システム。
【請求項１４】
前記代金の支払承認を行う際に、前記支払承認手段により支払代金の金額の指示が可能であり、
前記代金支払処理手段は、前記指示された金額について代金の支払処理を行うことを特徴とする請求項１乃至１３のいずれか１項に記載の金融取引システム。
【請求項１５】
前記代金支払処理手段に対して、代金請求者が代金受取方法を設定する受取指示手段をさらに有し、
前記支払処理手段は前記受取指示手段により設定された方法にしたがって、前記代金の支払処理を行うことを特徴とする請求項１乃至１４のいずれか１項に記載の金融取引システム。
【請求項１６】
代金の入出金処理を行う金融取引方法において、
代金支払者から代金請求者へ代金の振込処理を行う振込処理工程と、
代金支払者による支払時に一時的な支払処理を設定する設定工程と、
代金支払いに関する情報と前記一時的な支払処理に関する情報とを格納手段に格納する支払情報格納工程と、
前記格納手段に格納した情報を代金請求者に対して通知する情報通知工程と、
前記情報通知工程により通知された情報について代金請求者が確認するための確認工程と、
代金支払者が代金支払いに承認した場合にのみ代金請求者が代金を受け取ることを可能とする代金支払承認工程と、
代金請求者に代金の支払処理を行う代金支払処理工程とを備えることを特徴とする金融取引方法。
【発明の詳細な説明】
【技術分野】
【０００１】
本発明は、代金の振込処理や振替処理を行う金融取引システム及び金融取引方法に関する。
【背景技術】
【０００２】
購入商品の代金や何らかの事情、トラブルによる代金支払を代金支払者と代金請求者の間で行う取引には銀行で行う方法と銀行外で行う方法とがある。
【０００３】
銀行で行う方法には口座振替と振込とがある。
【０００４】
口座振替の場合は予め代金支払者が代金請求者に自分の口座番号を伝え、かつ銀行に対しては指定した代金請求者から自己の口座に対して行われた請求に対する支払いを予め承諾しておくことで代金請求者が代金支払者の銀行口座宛に請求をし資金を受け取る。この場合、代金支払者は予め代金請求者と銀行に対して依頼をしておけばあとは支払の都度の手続きは不要となる。
【０００５】
これに対し振込の場合は代金請求者が代金支払者に自分の口座番号と請求額を伝え、代金支払者が当該口座宛に資金を振り込む。
【０００６】
この場合、代金支払者は特に予め代金請求者と銀行に対し何かの依頼をしておく必要はなく、振込を行うときに代金請求者の口座番号と口座名を振込先として指定すればよい。
【０００７】
一方、銀行外で行う代表的な方法としてはコンビニでの支払がある。この場合、代金支払者は代金請求者から送られた支払用紙を現金とともにコンビニに持参し、コンビニが代金請求者に代わって代金を受け取ることで支払いを行う。
【特許文献１】特開２００１−１０１２９８公報
【発明の開示】
【発明が解決しようとする課題】
【０００８】
上記取引方法のうち銀行で支払いを行う方法では銀行で支払いを行う方法のうち口座振替の場合は、一旦口座振替依頼手続きをすれば、間違った請求に対しても自動的に引き落とされてしまうため代金支払者にとってはリスクがある。
【０００９】
例えばインターネットやFAXなどによる通信販売等による商品購入の場合であれば、商品に欠陥、或いは依頼品と異なる物や、悪意の偽物などを送付するといった詐欺行為の場合に、代金先払いの場合は入金した代金を戻すことが出来ず、商品購入者は詐欺犯罪被害に遭ってしまう。
【００１０】
また、近年問題になっている、電話で近親者、或いはその者から被害を受けた被害者であると装って銀行口座にお金を振り込ませる“振り込め詐欺”等の詐欺行為に対して、事実確認が取れる前に冷静な判断を行うことが出来ていない状態で一度代金を入金してしまうと、後に詐欺だとわかった場合、振り込んだ代金を戻すことが出来なくなってしまう。
【００１１】
本発明は、上記課題に鑑みてなされ、その目的は、代金支払者に対して安全な支払いを可能とするシステム及び方法を実現することにある。
【課題を解決するための手段】
【００１２】
上記課題を解決し、目的を達成するために、本発明の金融取引システムは、代金の入出金処理を行う金融取引システムにおいて、代金支払者から代金請求者へ代金の振込処理を行う振込処理手段と、代金支払者による支払時に一時的な支払処理を設定する設定手段と、代金支払いに関する情報と前記一時的な支払処理に関する情報とを格納する支払情報格納手段と、前記支払情報格納手段に格納した情報を代金請求者に対して通知する情報通知手段と、前記情報通知手段により通知された情報について代金請求者が確認するための確認手段と、代金支払者が代金支払いに承認した場合にのみ代金請求者が代金を受け取ることを可能とする代金支払承認手段と、代金請求者に代金の支払処理を行う代金支払処理手段とを備える。
【００１３】
本発明の金融取引方法は、代金の入出金処理を行う金融取引方法において、代金支払者から代金請求者へ代金の振込処理を行う振込処理工程と、代金支払者による支払時に一時的な支払処理を設定する設定工程と、代金支払いに関する情報と前記一時的な支払処理に関する情報とを格納手段に格納する支払情報格納工程と、前記格納手段に格納した情報を代金請求者に対して通知する情報通知工程と、前記情報通知工程により通知された情報について代金請求者が確認するための確認工程と、代金支払者が代金支払いに承認した場合にのみ代金請求者が代金を受け取ることを可能とする代金支払承認工程と、代金請求者に代金の支払処理を行う代金支払処理工程とを備える。
【発明の効果】
【００１４】
本発明によれば、代金支払者は一時的な代金の振込をもって代金受取者の信頼を得た上で、商品の確認或いは事実関係の確認を行った後に最終的に振り込みを承認することが可能となり、意図しないトラブルからの金銭的損害を免れることが可能となる。
【発明を実施するための最良の形態】
【００１５】
以下に、添付図面を参照して本発明を実施するための最良の形態について詳細に説明する。
【００１６】
以下に説明する実施の形態は、本発明の実現手段としての一例であり、本発明の趣旨を逸脱しない範囲において本発明が適用される装置の構成や各種条件によって適宜修正又は変更されるべきものであり、本発明は以下の実施の形態に限定されるものではない。
【００１７】
また、本発明は、後述する金融取引システムに係る機能を実現するソフトウェアのプログラムを記憶媒体に記憶させ、記憶媒体からプログラムコードを読み出して当該システムを構成する装置が実行することによっても、達成されることは言うまでもない。すなわち、本発明は、後述する金融取引システムを、コンピュータに実行させるためのプログラムや、当該プログラムを格納する記録媒体等としても適用可能である。
【００１８】
図１は、本発明に係る実施形態の金融取引システムの基本構成を示すブロック図である。
【００１９】
本実施形態の金融取引システムは、銀行等に代表される金融機関が利用者に金融取引サービスを提供するために構築されたものである。金融取引としては、現金或いは預貯金等の出入金、振込、振替、送金等が含まれる。
【００２０】
上記システムの具体的な機能構成としては、図１に示すように、代金支払者からの振込や振替を一時的に受理する設定を処理する一時的代金振込設定処理部１０００と、記憶装置を有し上記受理した代金を受け取る代金受取処理部１０１０と、上記記憶装置に格納する入金情報格納部１０２０と、上記入金情報格納部１０２０に格納した入金情報を代金受取者に対して通知する入金情報通知部１０３０と、上記一時的代金振込設定処理部１０００によって銀行等に振り込まれた場合の一時預かり処理を行う一時的代金振込処理部１０４０と、上記入金情報格納部１０２０に格納した一時的入金情報を代金受取者に対して通知する入金情報通知部１０５０と、代金支払者が支払った代金を受け取る代金受取者に対して出金の承認を行う最終支払承認処理部１０６０と、承認された代金を代金受取者が受け取るための代金支払処理部１０７０とを備える。
【００２１】
図１の金融取引システムにおける各機能を実現する具体的なハードウェア構成を図２に示す。
【００２２】
図２において、金融取引システム２００は、情報処理用サーバ１００、データ記憶装置１１０、パーソナルコンピュータ（以下、ＰＣ）１２０、通信サーバ１３０、磁気テープ読取装置１４０、接続装置１５０、応答装置１６０、ＷＥＢサーバ１７０、メールサーバ１８０およびこれらを接続するためのＬＡＮ１９０からなるセンターシステムと、専用または一般（電話）回線８０を介して接続装置１５０に接続された入出金用端末１０および銀行端末２０を有している。
【００２３】
情報処理用サーバ１００は、従来から周知の、銀行業務に係わる情報処理および後述の本発明に係わる情報処理を実行する。情報処理用サーバ１００は図１の代金支払処理部１０７０として機能する。
【００２４】
データ記憶装置１１０は、預金者の銀行口座に関する情報（銀行口座情報と総称する）、たとえば、預金残高、入金（預け入れ）および出金（引き出し）に関する金額、日付等の履歴情報、銀行口座保有者の氏名、住所等の個人情報をデータベースの形態で記憶している。このデータベースは一般的には、元帳あるいは元帳データベースと呼ばれる。
【００２５】
ＰＣ１２０は銀行内に設置され、情報処理用サーバ１００に対する動作指示を入力したり、情報処理用サーバ１００の情報処理結果を表示したり、あるいは顧客から受け取った電子データを読み込む等の銀行業務に使用される。
【００２６】
通信サーバ１３０は他の金融取引システムと情報処理用サーバ１００との間の情報転送を行う。通信サーバ１３０の機能を情報処理用サーバ１００に持たせる場合には、通信サーバ１３０に代わり、ルータなど通信方法に合致した接続装置を使用することができる。
【００２７】
磁気テープ読取装置１４０は顧客から受け取った磁気テープのデータを読み込む処理に使用される。
【００２８】
接続装置１５０には、この形態ではルータが使用され、入出金用端末１０、銀行端末２０、電話機３０、ＰＣ４０および顧客等他社のコンピュータ５０等と専用または一般（電話）回線８０を介して接続する。
【００２９】
応答装置１６０は、電話機３０等と一般（電話）回線８０を介して接続し、代金請求書が届いたことを音声にて、代金支払者に通知する。
【００３０】
ＷＥＢサーバ１７０は、ＰＣ６０や携帯電話機７０とインターネット９０を介して、ＷＥＢサービス（ＨＴＭＬ等による情報サービス）を提供する。
【００３１】
メールサーバ１８０は、ＰＣ６０や携帯電話機７０との間で電子メールを送受信する。
【００３２】
ＬＡＮ１９０については周知であるので説明を省略する。
【００３３】
入出金用端末１０はＡＴＭ（Auto Teller Machine）とも呼ばれる。入出金用端末１０は銀行、スーパーマーケット、コンビニエンスストア、その他、銀行の外部に設置され、現金の受け入れ、あるいは預金の引き出し処理を行う。入出金用端末１０は、周知のように情報入力用のキー入力装置と、情報表示用の表示装置を有している。入出金用端末１０は図１の一時的代金振込設定処理部１０００、代金受取処理部１０１０、入金情報通知部１０３０、一時的入金表示表示処理部１０５０、最終支払い承認処理部１０６０、及び代金支払処理部１０７０としても機能する。
【００３４】
銀行端末２０は、情報処理用サーバ１００に対して、顧客の銀行口座に関連する請求情報に関する照会や記帳を行うための端末であり、ハードウェアとしては周知のものを使用することができる。銀行端末２０は図１の一時的代金振込設定処理部１０００、代金受取処理部１０１０、入金情報通知部１０３０、一時的入金表示表示処理部１０５０、最終支払い承認処理部１０６０、及び代金支払い処理部１０７０としても機能する。
【００３５】
電話機３０が応答装置１６０に対して電話をかけた場合に、応答装置１６０は、音声メッセージの形態で、金融機関のシステムに届いた請求情報を代金支払者に対して通知し、また、代金支払者による電話機のボタン操作で支払承認の指示を受け付けて、情報処理用サーバ１００に対して代金の支払承認の指示および関連情報を伝える。したがって、このケースでは、応答装置１６０が図１の一時的代金振込設定処理部１０００、代金受取処理部１０１０、入金情報通知部１０３０、一時的入金表示表示処理部１０５０、最終支払い承認処理部１０６０、及び代金支払い処理部１０７０としても機能する。
【００３６】
ＰＣ４０，６０には通信機能付の市販の汎用パーソナルコンピュータを使用することができる。ＰＣ４０は、専用／一般回線８０、接続装置１５０を介して情報処理用サーバ１００と接続している。ＰＣ４０を代金支払者が使用する場合にはＰＣ４０の表示装置において、接続装置１５０により金融取引システム２００から送られた振込情報が表示される。また、ＰＣ４０のキーボード入力装置またはマウスの操作により代金支払の承認指示や、この指示に関連する情報が入力され、接続装置１５０により金融取引システム２００で受け取られる。したがってこのケースでは、接続装置１５０が図１の入金情報通知部１０３０および一時的代金入金表示処理部１０５０、また、最終支払承認処理部１０６０として機能する。
【００３７】
また、ＰＣ４０を代金受取者が使用する場合には、ＰＣ４０から接続装置１５０を介して情報処理用サーバ１００に入金情報が送られるので、このケースでは接続装置１５０が図１の一時的代金振込処理部１０４０として動作する。
【００３８】
また接続装置１５０は専用／一般回線８０を介して顧客等他社のコンピュータと情報の交換が可能である。接続装置１５０が専用／一般回線８０を介して代金受取者のコンピュータと接続される場合は代金受取者のコンピュータから接続装置１５０を介して情報処理用サーバ１００に入金情報が送られるので、このケースでは接続装置１５０が図１の入金情報通知部１０３０、及び一時的代金入金表示処理部１０５０として動作する。一方、接続装置１５０が専用／一般回線８０を介して代金支払者のコンピュータと接続される場合は情報処理用サーバ１００から接続装置１５０を介して代金支払者のコンピュータに入金情報が送られ、また代金支払者のコンピュータから接続装置１５０を介して情報処理用サーバ１００に支払承認情報が送られるので、このケースでは接続装置１５０が図１の最終支払承認処理部１０６０として動作する。
【００３９】
ＰＣ６０はＷＥＢサーバ１７０を介して情報処理用サーバ１００と情報の交換が可能である。ＰＣ６０を代金受取者が使用する場合には、ＷＥＢサーバ１７０が図１の入金情報通知部１０３０および一時的代金入金表示処理部１０５０として機能する。また、ＰＣ６０を代金支払者が使用する場合には、ＷＥＢサーバ１７０が図１の入金情報通知部１０３０、及び一時的代金入金表示処理部１０５０として機能する。
【００４０】
携帯電話機７０は不図示の電話回線網およびインターネット９０を介してＷＥＢサーバ１７０と接続する。ＰＣ６０と同様にして、代金支払者が使用する場合には、文字キー等により入金情報を入力可能であり、代金受取者が使用する場合には、入金情報の表示を行う。この場合にも、ＷＥＢサーバ１７０が、図１の一時的代金振込設定処理部１０００、代金受取処理部１０１０、入金情報通知部１０３０、一時的入金表示表示処理部１０５０、最終支払い承認処理部１０６０、及び代金支払い処理部１０７０として動作する。
【００４１】
ＰＣ６０や携帯電話機７０がメールサーバ１８０とメールにより情報の送受信を行う場合には、メールサーバ１８０が図１の一時的代金振込設定処理部１０００、代金受取処理部１０１０、入金情報通知部１０３０、一時的入金表示表示処理部１０５０、最終支払い承認処理部１０６０、及び代金支払い処理部１０７０として動作可能である。
【００４２】
このようなシステム構成で実行される代金の支払処理を図２および図３を参照して説明する。
【００４３】
図３は情報処理用サーバ１００が実行する処理手順をフローチャートで示す。一例として、代金支払者が入出金用端末１０を使用して、代金の一時振込設定と代金振込処理を行った際に、代金受取者が入出金用端末１０から代金入金を確認及び出金する場合を説明する。
【００４４】
代金支払者は入出金用端末１０から所定の金額を入金する（S10）。
【００４５】
入金情報は代金支払者の氏名（会社名をも含む）、代金支払者の銀行口座番号、代金支払者の氏名、代金支払者の銀行口座番号、代金の金額、一時的支払設定の有効/無効、支払期限、品代（事由。例えば商品名）等、入金時の内容を表す情報が使用され、これらの情報が予め定められた配列で図2の情報処理用サーバ１００で処理される。
【００４６】
そしてこの情報はＷＥＢサーバ１７０へデータとして記録され、支払受取者の使用するＰＣ６０からセキュリティを保持した状態で代金入金情報を表示確認することが可能である。
【００４７】
代金支払者は商品等を購入したとき、代金受取者（請求者）に対し自分の名前と支払いを行う銀行口座番号を通知しておく。これは例えばクレジットカードで支払う場合にクレジットカード番号を通知したり、請求書を自宅に送付してもらう場合に住所を通知するのと同様である。
【００４８】
情報処理用サーバ１００は図３の処理手順を一定周期で実行している。
【００４９】
情報処理用サーバ１００は、接続装置１５０からの連絡で代金入金を受信したことを検知すると（S10）、入金内容が次のような方法でデータ記憶装置１１０内に格納される。その際に一時的入金設定が行われているかどうかの情報がフラグとして入金情報内に保存される（S20）。
【００５０】
まず入金内容（以下、入金情報という）に記録された代金支払者の銀行口座番号に基づいてデータ記憶装置１１０内の元帳データベースを検索し、該当する銀行口座情報を検出する。
【００５１】
次に、代金受取者が出金処理を行う、或いは振込状況を確認する際に、例えば図2のPC30を用いた場合で説明すると、WEBサーバ１７０は情報処理用サーバ１００に問い合わせて入金情報を獲得する（S70）。
【００５２】
この時に一時的入金設定が行われていない場合はすぐにでも出金処理は可能となる（S80,S90）。
【００５３】
次に、代金受取者が銀行の入出金用端末１０を例えば出金で利用したときに、情報処理用サーバ１００はその旨をS40で検出し、入出金用端末１０に挿入された銀行カードから、代金受取者の銀行口座番号を読み出す。読み出した代金受取者の銀行口座番号に基づいて、元帳データベースの、代金受取者の銀行口座情報が検索されて、上記フラグ情報が参照される。フラグ情報が入金情報ありを示している場合は、情報処理用サーバ１００は、入金情報の表示を入出金端末１０の画面上に行う。ここで、代金支払者が一時的入金設定を行っている場合は入金情報と共に最終承認がされていない旨を表示する（S60）。最終承認が行われている場合は入金表示と承認が行われている旨を表示し（S80）出金処理が可能となる（S90）。
【００５４】
こうすることで代金支払者は、商品が届いた後に不正な物、意図していない物など返品を行いたい場合、或いは偽りのトラブル等でお金を支払った後に事実確認を取って虚偽と判明した場合、金銭の被害を避けることが可能となる。
【００５５】
以上はそのほとんどの処理を入出金用端末１０を使用した場合で説明したが、今日同様の機能を搭載した携帯電話端末７０やインタネットを用いたPC６０などを用いても同様の効果を得ることが可能となる。
【００５６】
本実施形態によれば、代金支払者は一時的な代金の振込をもって代金受取側の信頼を得た上で、商品の確認、或いは事実関係の確認を行った後に最終的に振り込む承認を決定することが可能となり、意図しないトラブルからの金銭的損害を免れることが可能となる。
【図面の簡単な説明】
【００５７】
【図１】本発明に係る実施形態の金融取引システムの基本構成を示すブロック図である。
【図２】図１の金融取引システムにおける各機能を実現する具体的なハードウェア構成を示す図である。
【図３】本発明に係る実施形態の情報処理用サーバが実行する処理手順を示すフローチャートである。
【符号の説明】
【００５８】
１０  入出金用端末
２０  銀行端末
３０  電話機
４０  ＰＣ
５０  他社コンピュータ
６０  ＰＣ
７０  携帯電話機
８０  専用または一般（電話）回線
９０  インターネット
１００  情報処理用サーバ
１１０  データ記憶装置
１２０  パーソナルコンピュータ（ＰＣ）
１３０  通信サーバ
１４０  磁気テープ読取装置
１５０  接続装置
１６０  応答装置
１７０  ＷＥＢサーバ
１８０  メールサーバ
１９０  ＬＡＮ
２００  金融取引システム
１０００  一時的代金振込設定処理部
１０１０  代金受取処理部
１０２０  入金情報格納部
１０３０  入金情報通知部
１０４０  一時的代金振込処理部
１０５０  入金情報通知部
１０６０  最終支払承認処理部
１０７０  代金支払処理部
【図１】
2007034976.tif 000003
【図２】
2007034976.tif 000004
【図３】
2007034976.tif 000005